(57)【要約】      （修正有）【課題】加熱せずに確実に対象物を綴じることができる紙製のステープルと、該ステープルの利用に適したステープラを提供する。【解決手段】ステープル１００は、本体部１０６の両端において略直角に折り曲げられる対向する脚部１０８，１１０を備えており、その内側面に粘着剤層１１８を有している。ステープラ１０は、前記ステープル１００を受けるマガジン２０を備えており、該マガジン２０の側面２０Ａ，２０Ｂには、底面２０Ｄに向けて形成された斜面２２，２４が設けられている。該斜面２２，２４を設けることにより、前記ステープル１００をマガジン２０に沿ってスライドさせても、粘着剤層１１８が接触しないので、粘着剤の効果を損なうことがない。このため、常温で短時間、わずかな圧力を加えるだけで、対象物を容易かつ確実に綴じることが可能となる。【選択図】図１
0003142752.tif 000002
【実用新案登録請求の範囲】
【請求項１】
平面状の本体部と、該本体部の両端において略直角に折り曲げられる対向する脚部を有する紙製のステープルであって、
前記対向する脚部は、前記本体部に対して略平行に折り曲げられたときに、互いに重ならない長さであって、その内側面に粘着剤層を有することを特徴とするステープル。
【請求項２】
前記粘着剤層上に、剥離可能な保護シールを設けたことを特徴とする請求項１記載のステープル。
【請求項３】
請求項１又は２記載のステープル用のステープラであって、
前記ステープルの内面を受ける一対の側面を有しており、該一対の側面に、前記ステープルの粘着剤層と接触しない凹部が長手方向に形成されたマガジン，
を備えたことを特徴とするステープラ。
【請求項４】
請求項１又は２記載のステープル用のステープラであって、
長手方向の前端側に前記ステープル１つが通過可能な開口を有する底面と、該底面の両縁部に沿って立設され前記ステープルを長手方向に案内する一対の側面と、前記底面の前端に立設された端面により構成されており、複数連続したステープルを格納可能な外枠，
前記ステープルの内面を受ける一対の側面を有するとともに、一方の端部が前記外枠底面の開口に近接するように該外枠内に固定されており、前記一対の側面に、前記ステープルの粘着剤層と接触しない凹部が長手方向に形成されたマガジン，
前記ステープルを、前記外枠の前端側へ向けて付勢する付勢手段，
前記外枠の後端側に回動可能に取り付けられており、長手方向前端側に、前記外枠底面の開口上に位置するステープルを下方に押し込む押下げ部材を有するレバー，
前記押下げ部材の両側面に固定されており、該押下げ部材の下端部を超えて下方に伸び、前記外枠底面の開口を通過するとともに、下端部に切刃を備えた一対のカッタ，
前記外枠の下方に配置されており、シート状の対象物を受けるとともに、前記一対のカッタが通過可能な開口を有する受け板，
該受け板の開口の下方に配置されており、該開口から押し出されるカッタを受けて互いに遠ざかる方向に案内する第１ガイド部と、該開口から押し出されるステープルの脚部を受けて本体部に対して略平行に折り曲がるように案内する第２ガイド部を有する案内台，
該案内台の上面を貫通して昇降し、前記折り曲げられたステープルの脚部を、前記押下げ部材との間に挟み込み可能な押上げ部材，
前記レバーの回動に応じて、前記押上げ部材を昇降させる押上げ機構，
を備えたことを特徴とするステープラ。
【請求項５】
前記凹部が、前記側面に形成されたスリットないし溝，あるいは、前記側面から底面に向けて形成された斜面ないし曲面であることを特徴とする請求項３又は４記載のステープラ。
【考案の詳細な説明】
【技術分野】
【０００１】
本考案は、ステープル及びステープラに関し、更に具体的には、紙製のステープルとそれを使用するに適したステープラに関する。
【背景技術】
【０００２】
従来、書類などを綴じるのに、金属製のステープルと、該ステープルを打つための専用のステープラが広く利用されている。金属製のステープルは、書類などを裁断処理する際には外さなければならず、手間がかかるとい不都合がある。また、安全性の面を考慮すると、食品類の包装を綴じるには適していない。このため、従来の金属製のステープルに代わり、柔らかい紙製のステープルと該ステープル用のステープラが提案されている。下記特許文献１には、脚部の内側面にホットメルトタイプの接着剤が塗布され、その塗布領域内で脚部の基材に複数の小孔を設けたステープルと、該ステープルの接着剤を溶融させる加熱手段を備えたステープラーが開示されている。
【特許文献１】特開２００２−１６８２１６号公報
【考案の開示】
【考案が解決しようとする課題】
【０００３】
前記特許文献１に記載の技術では、ホットメルトタイプの接着剤を用いることから、ステープラによる加熱が必要となるが、前記接着剤を溶融させるためには相当高温に加熱しなければならない。このため、ステープラの構造の複雑化や大型化を招いたり、接着剤の選択の幅が狭くなったりするという不都合がある。
【０００４】
本考案は、以上の点に着目したもので、その目的は、加熱することなく上下からの挟み込みによって確実に対象物を綴じることができる紙製のステープルと、該ステープルを打つのに適したステープラを提供することである。
【課題を解決するための手段】
【０００５】
前記目的を達成するため、本考案のステープルは、平面状の本体部と、該本体部の両端において略直角に折り曲げられる対向する脚部を有する紙製のステープルであって、前記対向する脚部は、前記本体部に対して略平行に折り曲げられたときに、互いに重ならない長さであって、その内側面に粘着剤層を有することを特徴とする。主要な形態の一つは、
前記粘着剤層上に、剥離可能な保護シールを設けたことを特徴とする。
【０００６】
本考案のステープラは、請求項１又は２記載のステープル用のステープラであって、前記ステープルの内面を受ける一対の側面を有しており、該一対の側面に、前記ステープルの粘着剤層と接触しない凹部が長手方向に形成されたマガジン，を備えたことを特徴とする。
【０００７】
他の考案のステープラは、請求項１又は２記載のステープル用のステープラであって、長手方向の前端側に前記ステープル１つが通過可能な開口を有する底面と、該底面の両縁部に沿って立設され前記ステープルを長手方向に案内する一対の側面と、前記底面の前端に立設された端面により構成されており、複数連続したステープルを格納可能な外枠，前記ステープルの内面を受ける一対の側面を有するとともに、一方の端部が前記外枠底面の開口に近接するように該外枠内に固定されており、前記一対の側面に、前記ステープルの粘着剤層と接触しない凹部が長手方向に形成されたマガジン，前記ステープルを、前記外枠の前端側へ向けて付勢する付勢手段，前記外枠の後端側に回動可能に取り付けられており、長手方向前端側に、前記外枠底面の開口上に位置するステープルを下方に押し込む押下げ部材を有するレバー，前記押下げ部材の両側面に固定されており、該押下げ部材の下端部を超えて下方に伸び、前記外枠底面の開口を通過するとともに、下端部に切刃を備えた一対のカッタ，前記外枠の下方に配置されており、シート状の対象物を受けるとともに、前記一対のカッタが通過可能な開口を有する受け板，該受け板の開口の下方に配置されており、該開口から押し出されるカッタを受けて互いに遠ざかる方向に案内する第１ガイド部と、該開口から押し出されるステープルの脚部を受けて本体部に対して略平行に折り曲がるように案内する第２ガイド部を有する案内台，該案内台の上面を貫通して昇降し、前記折り曲げられたステープルの脚部を、前記押下げ部材との間に挟み込み可能な押上げ部材，前記レバーの回動に応じて、前記押上げ部材を昇降させる押上げ機構，を備えたことを特徴とする。
【０００８】
主要な形態の一つは、前記凹部が、前記側面に形成されたスリットないし溝，あるいは、前記側面から底面に向けて形成された斜面ないし曲面であることを特徴とする。本考案の前記及び他の目的，特徴，利点は、以下の詳細な説明及び添付図面から明瞭になろう。
【考案の効果】
【０００９】
本考案は、紙製のステープルの対向する脚部の内側面に、粘着剤が塗布された粘着剤層を設けることとしたので、前記脚部を折り曲げ、前記粘着剤層を対象物の裏面に接着することで、容易かつ確実に対象物を綴じることが可能になる。また、本考案のステープラでは、前記ステープルを受けるマガジンの側面に、前記粘着剤層と接触しない凹部を長手方向に設けることとしたので、前記粘着剤層による接着効果を損なうことなく、確実に対象物を綴じることができるという効果が得られる。
【考案を実施するための最良の形態】
【００１０】
以下、本考案を実施するための最良の形態を、実施例に基づいて詳細に説明する。
【実施例１】
【００１１】
最初に、図１〜図４を参照しながら本考案の実施例１と説明する。図１(A)は本実施例のステープラの全体構成を示す斜視図，図１(B)は主要部の分解斜視図である。図２(A)は、前記ステープラの案内台及び押上げ部材を示す斜視図，図２(B)及び(C)はマガジンの変形例を示す図である。図３は、本考案のステープルを示す図であり、(A)はセパレートシートの表側を示す平面図，(B)はセパレートシートの裏面側を示す平面図，(C)は折り曲げた状態を示す斜視図，(D)はロールシートを示す斜視図である。図４は、本実施例の作用を示す図である。本実施例のステープラ１０は、紙製のステープル１００を利用してシート状の対象物を綴じるためのもので、外枠１２，マガジン２０，付勢手段３０，本体カバー４０，下カバー部４４の上面４４Ａに形成された開口４４Ｂ，レバー５０，押下げ部材６０，カッタ６４及び６６，案内台８０，押上げ部材８８，押上げ機構９０などにより構成されている。
【００１２】
最初に、前記ステープル１００について説明する。ステープル１００は、図１(B)に示すように、複数のステープル１００が連続したセパレートシート１０２として形成されており、略平面状の本体部１０６と、該本体部１０６の両端において略直角に折り曲げられる対向する脚部１０８，１１０によって、全体が略コ状に形成されている。前記脚部１０８，１１０は、前記本体部１０６に対して略平行に折り曲げられたときに（例えば、図４(E)）、互いに重ならない長さであって、その内側面には、粘着剤の塗布によって形成された粘着剤層１１６，１１８が設けられている。前記ステープル１００は紙製であって、公知の各種の紙素材が利用可能である。また、前記粘着剤層１１６，１１８を形成する粘着剤も、公知の各種のものが利用可能である。
【００１３】
このようなステープル１００は、図３(A)及び(B)に示すように、所定数のステープル１００が連続したセパレートシート１０２を利用してもよいし、図３(D)に示すように、多数のステープル１００が連続したロールシート１０３を利用してもよい。前記図３(A)及び(B)に示す例では、セパレートシート１０２には、前記脚部１０８，１１０を形成するための一対の折り目１０４が、所定の間隔で略平行に形成されるとともに、個々のステープル１００に切り離すための切れ目１１２が適宜間隔で設けられている。また、表面１００Ａの略中央部にはロゴ１１４が設けられており、裏面１００Ｂの両縁部近傍には、前記粘着剤層１１６，１１８が設けられている。前記セパレートシート１０２は、使用するまでは個々の平面状のシートとして保管されるため、前記粘着剤層１１６，１１８の乾燥を防止するために、剥離可能な保護シール１２０，１２２で被覆されている。これら保護シール１２０，１２２は、図３(C)又は図１(B)に示すように略コ状に折り曲げて使用するときに、剥がされる。
【００１４】
一方、図３(D)に示すロールシート１０３では、粘着剤層１１６，１１８は、ロールから引き出されるまでは、常に内側のシートの表面１００Ａに接触しているため、該表面１００Ａを、前記粘着剤層１１６，１１８が剥離可能な素材で形成するか、剥離可能な表面加工などを施しておくことにより、保護シールを設けることなく乾燥を防止することができる。このようなロールタイプは、食品パッケージ，小児用具パッケージ，ダンボール綴じのような業務用途に好適であり、図示しない小孔を歯車でコマ送り方式で送ることにより、前記ステープラ内で略コ字状に成型し、連続使用するようにしてもよい。なお、以下の説明では、前記セパレートシート１０２を利用する場合について説明するが、ロールシート１０３を用いた場合も、基本的な原理は同様である。
【００１５】
次に、前記ステープル１０について説明する。まず、前記ステープル１００（ないしセパレートシート１０２）を格納する外枠１２は、図１(B)に示すように、長手方向の前端側（図の左側）に開口１４を有する底面１２Ｄと、該底面１２Ｄの両縁部に沿って立設され前記ステープル１００を長手方向に案内する一対の側面１２Ａ及び１２Ｂと、前記底面１２Ｄの前端側に立設された前面１２Ｃにより構成されている。前記開口１４は、後述する押下げ部材６０のカッタ６４，６６に挟まれた１つのステープル１００が通過可能な形状及び寸法に形成されている。前記外枠１２内には、前記ステープル１００の略コ字状の内面を受けるマガジン２０が収納されている。該マガジン２０は、図１(B)に示すように、上方が開口しており、一対の側面２０Ａ，２０Ｂと上端２０Ｃによって前記ステープル１００の内面を受けるとともに、前端面２０Ｅが、前記外枠底面１２Ｄの開口１４に近接するように該外枠１２内に固定されている。また、前記側面２０Ａ，２０Ｂには、底面２０Ｄに向けて斜面２２，２４が形成されている。該斜面２２，２４は、前記ステープル１００の内側面の粘着剤層１１６，１１８との接触を防止するためのものであるが、図１(B)に示す形状に限定されるものではなく、緩やかな曲面状としてもよい。
【００１６】
更に、前記外枠１２には、前記ステープル１００を、前記外枠１２の前面１２Ｃへ向けて付勢する付勢手段３０が設けられている。該付勢手段３０は、図１(A)に示すように、前記マガジン２０に沿って摺動し前記ステープル１００を前方に送るスライダ３６を備えている。また、前記付勢手段３０は、前記外枠１２の後端側（図の右側）に設けられた支持板３２と前記マガジン２０の前端面２０Ｅの内側との間に設けられたロッド３４と、該ロッド３４に巻回されたバネ３８を備えている。該バネ３８は、前記支持板３２と前記スライダ３６の後端の間に配置されている。このため、前記スライダ３６は、前記バネ３８によって、常に前方に付勢されている。以上のような外枠１２は、本体カバー４０の上カバー部４２内に収納されている。
【００１７】
前記外枠１２の上方には、レバー５０が設けられている、該レバー５０の後方の端部５０Ｂ側は、前記外枠１２の後端側に、ピン５２によって回動可能に取り付けられている。また、前記レバー５０の前方の端部５０Ａには、前記外枠底面１２Ｄの開口１４上に位置するステープル１００を下方に押し込む押下げ部材６０が設けられている。このようなレバー５０は、図示しない押上げバネの作用によって、押下げる力を加えない状態では、前記外枠１２と所定の間隔を保つように上方に付勢されている。前記押下げ部材６０の本体６２の両側面には、該本体６２の下端部を超えて下方に伸び、前記外枠底面１２Ｄの開口１４を通過する一対のカッタ６４，６６固定されている。該カッタ６４，６６の下端部には、それぞれ切刃６４Ａ，６６Ａが設けられている。また、前記カッタ６４，６６の下端部近傍には、断面略３角形状の突起６８，７０が形成されている。該突起６８，７０の頂部間の間隔は、前記本体６２の幅よりも狭くなっている。
【００１８】
次に、前記本体カバー４０の下カバー部４４内に設けられた案内台８０，押上げ部材８８，押上げ機構９０について説明する。前記下カバー部４４は、前記上カバー部４２と所定の間隔をおいて配置されており、その間には支持部材４６が設けられている。また、前記下カバー部４４の上面４４Ａは、シート状の対象物を受けるための受け板であって、前記一対のカッタ６４，６６が通過可能な開口４４Ｂを有している。前記案内台８０は、前記上面４４Ａの開口４４Ｂの下方に配置されており、その底面は下カバー部４４Ａの底面に固定されている。該案内台８０は、前記開口４４Ｂから押し出されるカッタ６４，６６と、ステープル１００の脚部１０８，１１０を受け、それぞれを所望の方向に向けてガイドするものである。
【００１９】
図２(A)に示すように、前記案内台８０は、一対の主面８０Ａ，８０Ｂ，上面８０Ｃ，一対の側面８０Ｄ，８０Ｅを有しており、前記上面８０Ｃには、前記主面８０Ａ，８０Ｂの間に収納された押上げ部材８８が昇降可能に貫通するスリット８２が形成されている。前記押上げ部材８８は、ステープル１００の脚部１０８，１１０が本体部１０６と略平行となるように折り曲げて押し上げるものである。前記上面８０Ｃには、頂部８４，８６から中央部に向けて、前記ステープル１００の脚部１０８，１１０を受けて、これらを本体１０６に対して略平行な方向に折り曲がるようにガイドする曲面８４Ｂ，８６Ｂが形成されている。また、前記頂部８４，８６から側面８０Ｅ，８０Ｄにかけては、前記カッタ６４，６６を互いに離れる方向にガイドするための斜面８４Ａ，８６Ａが形成されている。更に、前記主面８０Ｂには、後述する押上げ機構９０のアーム９２Ａが上下にスライドするためのガイド溝８３が形成されている。前記アーム９２Ａは、前記押上げ部材８８に連結されている。
【００２０】
前記押上げ機構９０は、前記押上げ部材８８を所定のタイミングで上方に押し上げて、該押上げ部材８８と前記押下げ部材６０の本体６２との間に、対象物とステープル１００を挟み込むためのものである。該押上げ機構９０は、一対の支持部９３に支持されたピン９４を支点として回動するアーム９２Ａ，９２Ｂを備えている。前記アーム９２Ａは、下カバー部４４内に長手方向に沿って配置されており、その先端は前記押上げ部材８８に連結されている。他方のアーム９２Ｂは、前記上カバー部４２へ向けて傾斜しており、その先端に略コ字状の伝達部材９６が設けられている。該伝達部材９６の一対のアーム９６Ａ，９６Ｂは、前記上カバー部４２の底面に設けられた開口４８をスライド可能に貫通しており、その先端が、前記レバー５０の下端面５０Ｃによって押圧される構成となっている。すなわち、前記レバー５０を一定の角度以上回動させると、その下端面５０Ｃがアーム９６Ａ，９６Ｂに当接して押下げ、それに応じて、前記ピン９４を支点としてアーム９２Ａが上昇するように回動するという具合である。
【００２１】
次に、図４も参照しながら、本実施例の作用を説明する。まず、ステープラ１０のレバー５０を上方に開き、外枠１２内のマガジン２０に、略コ字状に折り曲げたセパレートシート１０２をセットする。このとき、前記マガジン２０の後方からセパレートシート１０２をスライドさせてセットしてもよいし、前記マガジン２０の側面２０Ａ，２０Ｂに、ステープル１００との摩擦や接触面積を低減するための表面処理や表面加工（例えば凹凸を形成する，テフロン（登録商標）加工を施すなど）を施し、マガジン２０の上方からセットするようにしてもよい。この状態では、ステープル１００の内側面に設けた粘着剤層１１６，１１８は、図４(A)に示すように、マガジン２０の側面と接触することがない。セパレートシート１０２は、付勢手段３０によって前方に付勢されており、先端の１つのステープル１００が、前記外枠底面１２Ｄの開口１４上に位置している。前記ステープル１００は、カッタ６４，６６の間に挟まれるとともに、押下げ部材６０の本体６２の下側に位置し、かつ、前記カッタ６４，６６の突起６８，７０の上方に位置している。なお、前記カッタ６４，６６の先端部分は、前記開口１４を通過して下方に突き出ている。そして、前記下カバー部４４の上面４４Ａの上に、綴じる対象物７２，７４を重ねてセットする。
【００２２】
そして、前記レバー５０を押下げると、前記押下げ部材６０とカッタ６４，６６は一体となって下方に移動し、前記上面４４Ａにセットされた対象物７２，７４に、カッタ６４，６６の切刃６４Ａ，６６Ａによって切り込み７６が形成される。レバー５０の押下げを続けると、前記カッタ６４，６６の突起６８，７０が通過することにより、前記切り込み７６が押し広げられる。このため、前記粘着剤層１１６，１１８が、対象物７２，７４に接触することなく、前記ステープル１００の脚部１０８，１１０が前記切り込み７６を通過する（図４(B)）。
【００２３】
更にレバー５０を押下げると、カッタ６４，６６の突起６８，７０の下側斜面６８Ａ，７０Ａが、前記案内台８０の斜面８４Ａ，８６Ａに接触し、前記カッタ６４，６６が互いに離れる方向にガイドされる。続いて、前記ステープル１００の脚部１０８，１１０の先端が、前記案内台８０の曲面８４Ｂ，８６Ｂに接触し、前記本体部１０６に対して略平行な方向に折り曲がるようにガイドされる。これと同時に、前記レバー５０の下端面５０Ｃが押上げ機構９０の伝達部材９６のアーム９６Ａ，９６Ｂに接触し、ピン９４を支点として前記伝達部材９６に接続したアーム９２Ｂとアーム９２Ａが回動するため、前記アーム９２Ａの先端が、前記案内台８０のガイド溝８３に沿って上昇し始める。すると、前記アーム９２Ａに接続された押上げ部材８８の上面が、図４(C)に示すように、折り曲げられた脚部１０８，１１０を、対象物７２，７４に向けて押し上げる。
【００２４】
引き続きレバー５０を押下げると、図４(D)に示すように、前記押上げ部材８８と、前記押下げ部材６０の本体６２によって、前記対象物７２，７４及びステープル１００が挟み込まれ、前記対象物７４の裏面に対して、前記脚部１０８，１１０の粘着剤層１１６，１１８が密着する。粘着剤を使用しているため、常温で短時間、わずかな圧力を加えるだけで接着が可能となり、対象物７２，７４が、確実にステープル１００によって綴じられる。接着が完了したら、前記レバー５０を押下げる力を解除すると、該レバー５０は、図示しない押上げバネの作用により、所定の高さまで復帰する（図４(E)）。その後、綴じられた対象物７２，７４をステープラ１０から外し、他の対象物を挟んで上記と同様の動作を行う。
【００２５】
このように、実施例１によれば、次のような効果がある。
(1)紙製のステープル１００の対向する脚部１０８，１１０の内側面に、粘着剤が塗布された粘着剤層１１６，１１８を設けることとしたので、前記脚部１０８，１１０を折り曲げ、前記粘着剤層１１６，１１８を対象物の裏面に密着させることで、容易かつ確実に対象物を綴じることが可能となる。
(2)ステープラ１０のマガジン２０の側面２０Ａ，２０Ｂに、底面２０Ｄに向かう斜面２２，２４を設け、前記粘着剤層１１６，１１８と接触しないようにしたので、前記粘着剤層１１６，１１８による接着効果を損なわずに、確実に対象物を綴じることができる。
(3)複数のステープル１００が連続したセパレートシート１０２の裏面に、前記粘着剤層１１６，１１８を被覆する剥離可能な保護シール１２０，１２２を設けることとしたので、粘着剤層１１６，１１８の乾燥を防止できる。
【００２６】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。材料についても一例であり、必要に応じて適宜変更可能である。
(2)前記マガジン２０に設けた斜面２２，２４も一例であり、同様の効果を奏するように適宜設計変更してよい。例えば、図２(B)に示すマガジン１３０のように、側面１３２，１３４に、前記粘着剤層１１６，１１８と接触しない曲面状の断面を有する凹部１３２Ａ，１３２Ｂを設けるようにしてもよい。あるいは、図２(C)に示すマガジン１４０のように、その側面１４２，１４４に、前記粘着剤層１１６，１１８と接触しないスリット１４２Ａ，１４４Ａを形成するようにしてもよい。むろん、図示の例も一例であり、これらに限定されるものではない。
(3)前記実施例では、セパレートシート１０２を利用した例について説明したが、前記ロールシート１０３を利用して対象物を綴じるようにしてもよい。
(4)前記実施例で示した付勢手段３０や押上げ機構９０も一例であり、同様の効果を奏するように適宜設計変更してよい。
【産業上の利用可能性】
【００２７】
本考案によれば、ステープルの対向する脚部の内側面に粘着剤が塗布された粘着剤層を設け、前記脚部を折り曲げて、前記粘着剤層を対象物の裏面に接着して対象物を綴じることとしたので、紙製のステープルの用途に適用できる。また、本考案のステープラでは、ステープルを受けるマガジンの側面に、前記粘着剤層と接触しない凹部を長手方向に設けることとしたので、粘着剤層を備えた紙製ステープルを利用する場合のステープラの用途に適用できる。
【図面の簡単な説明】
【００２８】
【図１】本考案の実施例１を示す図であり、(A)は全体構成を示す斜視図，(B)は主要部の分解斜視図である。
【図２】(A)は前記実施例１の案内台及び押上げ部材を示す斜視図，(B)及び(C)はマガジンの変形例を示す図である。
【図３】本考案のステープルを示す図であり、(A)はセパレートシートの表側を示す平面図，(B)はセパレートシートの裏面側を示す平面図，(C)は折り曲げた状態を示す斜視図，(D)はロールシートを示す斜視図である。
【図４】前記実施例１の作用を示す図である。
【符号の説明】
【００２９】
１０：ステープラ
１２：外枠
１２Ａ，１２Ｂ：側面
１２Ｃ：前面
１２Ｄ：底面
１４：開口
２０：マガジン
２０Ａ，２０Ｂ：側面
２０Ｃ：上端
２０Ｄ：底面
２０Ｅ：前端面
２２，２４：斜面
３０：付勢手段
３２：支持板
３４：ロッド
３６：スライダ
３８：バネ
４０：本体カバー
４２：上カバー部
４４：下カバー部
４４Ａ：上面
４４Ｂ：開口
４６：支持部材
４８：開口
５０：レバー
５０Ａ，５０Ｂ：端部
５０Ｃ：下端面
５２：ピン
６０：押下げ部材
６２：本体
６４，６６：カッタ
６４Ａ，６６Ａ：切刃
６８，７０：突起
６８Ａ，６８Ｂ，７０Ａ，７０Ｂ：斜面
７２，７４：対象物
７６：切り込み
８０：案内台
８０Ａ，８０Ｂ：主面
８０Ｃ：上面
８０Ｄ，８０Ｅ：側面
８２：スリット
８３：ガイド溝
８４，８６：頂部
８４Ａ，８６Ａ：斜面
８４Ｂ，８６Ｂ：曲面
８８：押上げ部材
９０：押上げ機構
９２Ａ，９２Ｂ：アーム
９３：支持部
９４：ピン
９６：伝達部材
９６Ａ，９６Ｂ：アーム
１００：ステープル
１００Ａ：表面
１００Ｂ：裏面
１０２：セパレートシート
１０３：ロールシート
１０４：折り目
１０６：本体部
１０８，１１０：脚部
１１２：切れ目
１１４：ロゴ
１１６，１１８：粘着剤層
１２０，１２２：保護シール
１３０，１４０：マガジン
１３２，１３４，１４２，１４４：側面
１３２Ａ，１３４Ａ：凹部
１４２Ａ，１４４Ａ：スリット
【図１】
0003142752.tif 000003
【図２】
0003142752.tif 000004
【図３】
0003142752.tif 000005
【図４】
0003142752.tif 000006